【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数のワイヤレスデバイスの各々のための関連付け識別またはメディアアクセス制御アドレスのうちの少なくとも１つを決定することと、
カウンタモード暗号ブロック連鎖メッセージ認証コードプロトコルヘッダ中のペアワイズ過渡鍵とシーケンス番号、および前記ワイヤレスデバイスの前記関連付け識別または前記メディアアクセス制御アドレスに基づいて、前記複数のワイヤレスデバイスの各々のためのメッセージ完全性検査値を決定することと、
前記カウンタモード暗号ブロック連鎖メッセージ認証コードプロトコルヘッダと、前記複数のワイヤレスデバイスのうちの前記ワイヤレスデバイスの各々のための前記メッセージ完全性検査値と、前記複数のワイヤレスデバイスのうちの前記ワイヤレスデバイスの各々のための前記決定された連付け識別または前記メディアアクセス制御アドレスのうちの前記少なくとも１つと、を備えるマルチキャストパケットを生成することと、
ワイヤレスローカルエリアネットワーク上で前記複数のワイヤレスデバイスの各々に前記マルチキャストパケットを送信することと、
を備えるワイヤレス通信の方法。
【請求項２】
前記複数のワイヤレスデバイスの各々のための前記メッセージ完全性検査値が、８オクテット未満の短縮されたメッセージ完全性検査値を備える、請求項１に記載の方法。
【請求項３】
前記マルチキャストパケットがフレーム本体を含み、データ長フィールドが前記マルチキャストパケットの前記フレーム本体内に含まれる、請求項１に記載の方法。
【請求項４】
前記マルチキャストパケットが、反転された予約済みビットまたはビットの反転された予約済み組合せをもつカウンタモード暗号ブロック連鎖メッセージ認証コードプロトコルヘッダを含み、前記反転された予約済みビットまたはビットの反転された予約済み組合せは、前記複数のワイヤレスデバイスが、前記マルチキャストパケットを送信側認証をもつマルチキャストパケットとして認識することを可能にするように構成された、請求項１に記載の方法。
【請求項５】
前記複数のワイヤレスデバイスのうちの少なくとも１つのワイヤレスデバイスから、前記少なくとも１つのワイヤレスデバイスによって受信された第２のマルチキャストパケット中の１つまたは複数のメッセージ完全性検査値中のエラーを示す指示を受信することと、
１つまたは複数のワイヤレスデバイスに、前記少なくとも１つのワイヤレスデバイスが前記１つまたは複数のメッセージ完全性検査値中の前記エラーを発見したことを示すメッセージを送信することと
をさらに備える、請求項１に記載の方法。
【請求項６】
前記メッセージが、前記ネットワークにおけるマルチキャストパケットサービスを無効にするようにとの前記１つまたは複数のワイヤレスデバイスへの命令を備える、請求項５に記載の方法。
【請求項７】
前記メッセージが、前記１つまたは複数のワイヤレスデバイスのユニキャスト鍵を変更するようにとの前記１つまたは複数のワイヤレスデバイスへの命令を備える、請求項５に記載の方法。
【請求項８】
前記ワイヤレスデバイスの前記メッセージ完全性検査値を決定することが、グループ時間鍵を用いて前記マルチキャストパケット中のデータを暗号化することによって第１のメッセージ完全性検査値を生成することと、次いで、前記第１のメッセージ完全性検査値に基づいて前記複数のワイヤレスデバイスの各々のためのメッセージ完全性検査値を決定することとを備える、請求項１に記載の方法。
【請求項９】
複数のワイヤレスデバイスの各々のための関連付け識別またはメディアアクセス制御アドレスのうちの少なくとも１つを決定することと、
カウンタモード暗号ブロック連鎖メッセージ認証コードプロトコルヘッダ中のペアワイズ過渡鍵とシーケンス番号、および前記ワイヤレスデバイスの前記関連付け識別または前記メディアアクセス制御アドレスに基づいて、前記複数のワイヤレスデバイスの各々のためのメッセージ完全性検査値を決定することと、
前記カウンタモード暗号ブロック連鎖メッセージ認証コードプロトコルヘッダと、前記複数のワイヤレスデバイスのうちの前記ワイヤレスデバイスの各々のための前記メッセージ完全性検査値と、前記複数のワイヤレスデバイスのうちの前記ワイヤレスデバイスの各々のための前記決定された連付け識別または前記メディアアクセス制御アドレスのうちの前記少なくとも１つと、を備えるマルチキャストパケットを生成することと、
ワイヤレスローカルエリアネットワーク上で前記複数のワイヤレスデバイスの各々に前記マルチキャストパケットを送信することと、
を行うように構成された送信機
を備えるワイヤレス通信装置。
【請求項１０】
前記複数のワイヤレスデバイスの各々のための前記メッセージ完全性検査値が、８オクテット未満の短縮されたメッセージ完全性検査値を備える、請求項９に記載の装置。
【請求項１１】
前記マルチキャストパケットがフレーム本体を含み、データ長フィールドが前記マルチキャストパケットの前記フレーム本体内に含まれる、請求項９に記載の装置。
【請求項１２】
前記マルチキャストパケットが、反転された予約済みビットまたはビットの反転された予約済み組合せをもつカウンタモード暗号ブロック連鎖メッセージ認証コードプロトコルヘッダを含み、前記反転された予約済みビットまたはビットの反転された予約済み組合せは、前記複数のワイヤレスデバイスが、前記マルチキャストパケットを送信側認証をもつマルチキャストパケットとして認識することを可能にするように構成された、請求項９に記載の装置。
【請求項１３】
前記複数のワイヤレスデバイスのうちの少なくとも１つのワイヤレスデバイスから、前記少なくとも１つのワイヤレスデバイスによって受信された第２のマルチキャストパケット中の１つまたは複数のメッセージ完全性検査値中のエラーを示す指示を受信するように構成された受信機と、
１つまたは複数のワイヤレスデバイスに、前記少なくとも１つのワイヤレスデバイスが前記１つまたは複数のメッセージ完全性検査値中の前記エラーを発見したことを示すメッセージを送信するようにさらに構成された前記送信機と
をさらに備える、請求項９に記載の装置。
【請求項１４】
前記メッセージが、前記ネットワークにおけるマルチキャストパケットサービスを無効にするようにとの前記１つまたは複数のワイヤレスデバイスへの命令を備える、請求項１３に記載の装置。
【請求項１５】
前記メッセージが、前記１つまたは複数のワイヤレスデバイスのユニキャスト鍵を変更するようにとの前記１つまたは複数のワイヤレスデバイスへの命令を備える、請求項１３に記載の装置。
【請求項１６】
前記ワイヤレスデバイスの前記メッセージ完全性検査値を決定することが、グループ時間鍵を用いて前記マルチキャストパケット中のデータを暗号化することによって第１のメッセージ完全性検査値を生成することと、次いで、前記第１のメッセージ完全性検査値に基づいて前記複数のワイヤレスデバイスの各々のためのメッセージ完全性検査値を決定することとを備える、請求項９に記載の装置。
【請求項１７】
複数のワイヤレスデバイスの各々のための関連付け識別またはメディアアクセス制御アドレスのうちの少なくとも１つを決定するための手段と、
カウンタモード暗号ブロック連鎖メッセージ認証コードプロトコルヘッダ中のペアワイズ過渡鍵とシーケンス番号、および前記ワイヤレスデバイスの前記関連付け識別または前記メディアアクセス制御アドレスに基づいて、前記複数のワイヤレスデバイスの各々のためのメッセージ完全性検査値を決定するための手段と、
前記カウンタモード暗号ブロック連鎖メッセージ認証コードプロトコルヘッダと、前記複数のワイヤレスデバイスのうちの前記ワイヤレスデバイスの各々のための前記メッセージ完全性検査値と、前記複数のワイヤレスデバイスのうちの前記ワイヤレスデバイスの各々のための前記決定された連付け識別または前記メディアアクセス制御アドレスのうちの前記少なくとも１つと、を備えるマルチキャストパケットを生成するための手段と、
ワイヤレスローカルエリアネットワーク上で前記複数のワイヤレスデバイスの各々に前記マルチキャストパケットを送信するための手段と、
を備えるワイヤレス通信装置。
【請求項１８】
前記複数のワイヤレスデバイスの各々のための前記メッセージ完全性検査値が、８オクテット未満の短縮されたメッセージ完全性検査値を備える、請求項１７に記載の装置。
【請求項１９】
前記複数のワイヤレスデバイスのうちの少なくとも１つのワイヤレスデバイスから、前記少なくとも１つのワイヤレスデバイスによって受信された第２のマルチキャストパケット中の１つまたは複数のメッセージ完全性検査値中のエラーを示す指示を受信するための手段と、
１つまたは複数のワイヤレスデバイスに、前記少なくとも１つのワイヤレスデバイスが前記１つまたは複数のメッセージ完全性検査値中の前記エラーを発見したことを示すメッセージを送信するための手段と
をさらに備える、請求項１７に記載の装置。
【請求項２０】
前記メッセージが、前記ネットワークにおけるマルチキャストパケットサービスを無効にするか、または前記１つまたは複数のデバイスのユニキャスト鍵を変更するようにとの前記１つまたは複数のワイヤレスデバイスへの命令を備える、請求項１９に記載の装置。
【請求項２１】
実行されたとき、デバイス中のプロセッサにワイヤレス通信のための方法を実行させる命令を備える非一時的コンピュータ可読媒体であって、前記方法は、
複数のワイヤレスデバイスの各々のための関連付け識別またはメディアアクセス制御アドレスのうちの少なくとも１つを決定することと、
カウンタモード暗号ブロック連鎖メッセージ認証コードプロトコルヘッダ中のペアワイズ過渡鍵とシーケンス番号、および前記ワイヤレスデバイスの前記関連付け識別または前記メディアアクセス制御アドレスに基づいて、前記複数のワイヤレスデバイスの各々のためのメッセージ完全性検査値を決定することと、
前記カウンタモード暗号ブロック連鎖メッセージ認証コードプロトコルヘッダと、前記複数のワイヤレスデバイスのうちの前記ワイヤレスデバイスの各々のための前記メッセージ完全性検査値と、前記複数のワイヤレスデバイスのうちの前記ワイヤレスデバイスの各々のための前記決定された連付け識別または前記メディアアクセス制御アドレスのうちの前記少なくとも１つと、を備えるマルチキャストパケットを生成することと、
ワイヤレスローカルエリアネットワーク上で前記複数のワイヤレスデバイスの各々に前記マルチキャストパケットを送信することと、
を備える非一時的コンピュータ可読媒体。
【請求項２２】
前記複数のワイヤレスデバイスの各々のための前記メッセージ完全性検査値が、８オクテット未満の短縮されたメッセージ完全性検査値を備える、請求項２１に記載のコンピュータ可読媒体。
【請求項２３】
前記複数のワイヤレスデバイスのうちの少なくとも１つのワイヤレスデバイスから、前記少なくとも１つのワイヤレスデバイスによって受信された第２のマルチキャストパケット中の１つまたは複数のメッセージ完全性検査値中のエラーを示す指示を受信することと、
１つまたは複数のワイヤレスデバイスに、前記少なくとも１つのワイヤレスデバイスが前記１つまたは複数のメッセージ完全性検査値中の前記エラーを発見したことを示すメッセージを送信することと
をさらに備える、請求項２１に記載のコンピュータ可読媒体。
【請求項２４】
前記メッセージが、前記ネットワークにおけるマルチキャストパケットサービスを無効にするか、または前記１つまたは複数のワイヤレスデバイスのユニキャスト鍵を変更するようにとの前記１つまたは複数のワイヤレスデバイスへの命令を備える、請求項２３に記載のコンピュータ可読媒体。
【手続補正２】
【補正対象書類名】明細書
【補正対象項目名】００７９
【補正方法】変更
【補正の内容】
【００７９】
[0087]上記は本開示の態様を対象とするが、本開示の他の態様およびさらなる態様は、それの基本的範囲から逸脱することなく考案され得、それの範囲は以下の特許請求の範囲によって決定される。
以下に本願発明の当初の特許請求の範囲に記載された発明を付記する。
［Ｃ１］
複数のワイヤレスデバイスの各々のためのメッセージ完全性検査値を決定することと、
ワイヤレスローカルエリアネットワーク上で前記複数のデバイスの各々にマルチキャストパケットを送信することと、前記マルチキャストパケットが、前記複数のデバイスの各々の指示と、前記複数のデバイスの各々のための前記メッセージ完全性検査値とを含む、を備えるワイヤレス通信の方法。
［Ｃ２］
前記複数のデバイスの各々の前記指示が、前記複数のデバイスの各々のための関連付け識別とメディアアクセス制御アドレスとのうちの少なくとも１つを備える、Ｃ１に記載の方法。
［Ｃ３］
前記メッセージ完全性検査値を決定することが、前記マルチキャストパケットのフレームヘッダと、前記マルチキャストパケット中のデータと、前記複数のデバイスのうちの１つの前記指示と、前記マルチキャストパケットのカウンタモード暗号ブロック連鎖メッセージ認証コードプロトコルヘッダ中のペアワイズ過渡鍵および擬似ランダム雑音シーケンス番号と、のうちの１つまたは複数に基づいてメッセージ完全性検査値を決定することを備える、Ｃ１に記載の方法。
［Ｃ４］
前記複数のワイヤレスデバイスの各々のための前記メッセージ完全性検査値が、８オクテット未満の短縮されたメッセージ完全性検査値を備える、Ｃ１に記載の方法。
［Ｃ５］
前記マルチキャストパケットがフレーム本体を含み、データ長フィールドが前記マルチキャストパケットの前記フレーム本体内に含まれる、Ｃ１に記載の方法。
［Ｃ６］
前記マルチキャストパケットが、反転された予約済みビットまたはビットの反転された予約済み組合せをもつカウンタモード暗号ブロック連鎖メッセージ認証コードプロトコルヘッダを含み、前記反転された予約済みビットまたはビットの反転された予約済み組合せは、前記複数のデバイスが、前記マルチキャストパケットを送信側認証をもつマルチキャストパケットとして認識することを可能にするように構成された、Ｃ１に記載の方法。
［Ｃ７］
前記複数のデバイスのうちの少なくとも１つから、前記デバイスによって受信された第２のマルチキャストパケット中の１つまたは複数のメッセージ完全性検査値中のエラーを示す指示を受信することと、
１つまたは複数のデバイスに、前記少なくとも１つのデバイスが１つまたは複数のメッセージ完全性検査値中の前記エラーを発見したことを示すメッセージを送信することとをさらに備える、Ｃ１に記載の方法。
［Ｃ８］
前記メッセージが、前記ネットワークにおけるマルチキャストパケットサービスを無効にするようにとの前記１つまたは複数のデバイスへの命令を備える、Ｃ７に記載の方法。
［Ｃ９］
前記メッセージが、前記１つまたは複数のデバイスのユニキャスト鍵を変更するようにとの前記１つまたは複数のデバイスへの命令を備える、Ｃ７に記載の方法。
［Ｃ１０］
前記メッセージ完全性検査値を決定することが、グループ時間鍵を用いて前記マルチキャストパケット中のデータを暗号化することによって第１のメッセージ完全性検査値を生成することと、次いで、前記第１のメッセージ完全性検査値に基づいて複数のワイヤレスデバイスの各々のためのメッセージ完全性検査値を決定することとを備える、Ｃ１に記載の方法。
［Ｃ１１］
複数のワイヤレスデバイスの各々のためのメッセージ完全性検査値を決定することと、
ワイヤレスローカルエリアネットワーク上で前記複数のデバイスの各々にマルチキャストパケットを送信することと、前記マルチキャストパケットが、前記複数のデバイスの各々の指示と、前記複数のデバイスの各々のための前記メッセージ完全性検査値とを含む、
を行うように構成された送信機を備えるワイヤレス通信装置。
［Ｃ１２］
前記複数のデバイスの各々の前記指示が、前記複数のデバイスの各々のための関連付け識別とメディアアクセス制御アドレスとのうちの少なくとも１つを備える、Ｃ１１に記載の装置。
［Ｃ１３］
前記メッセージ完全性検査値を決定することが、前記マルチキャストパケットのフレームヘッダと、前記マルチキャストパケット中のデータと、前記複数のデバイスのうちの１つの前記指示と、前記マルチキャストパケットのカウンタモード暗号ブロック連鎖メッセージ認証コードプロトコルヘッダ中のペアワイズ過渡鍵および擬似ランダム雑音シーケンス番号と、のうちの１つまたは複数に基づいてメッセージ完全性検査値を決定することを備える、Ｃ１１に記載の装置。
［Ｃ１４］
前記複数のワイヤレスデバイスの各々のための前記メッセージ完全性検査値が、８オクテット未満の短縮されたメッセージ完全性検査値を備える、Ｃ１１に記載の装置。
［Ｃ１５］
前記マルチキャストパケットがフレーム本体を含み、データ長フィールドが前記マルチキャストパケットの前記フレーム本体内に含まれる、Ｃ１１に記載の装置。
［Ｃ１６］
前記マルチキャストパケットが、反転された予約済みビットまたはビットの反転された予約済み組合せをもつカウンタモード暗号ブロック連鎖メッセージ認証コードプロトコルヘッダを含み、前記反転された予約済みビットまたはビットの反転された予約済み組合せは、前記複数のデバイスが、前記マルチキャストパケットを送信側認証をもつマルチキャストパケットとして認識することを可能にするように構成された、Ｃ１１に記載の装置。
［Ｃ１７］
前記複数のデバイスのうちの少なくとも１つから、前記デバイスによって受信された第２のマルチキャストパケット中の１つまたは複数のメッセージ完全性検査値中のエラーを示す指示を受信するように構成された受信機と、
１つまたは複数のデバイスに、前記少なくとも１つのデバイスが１つまたは複数のメッセージ完全性検査値中の前記エラーを発見したことを示すメッセージを送信するようにさらに構成された前記送信機とをさらに備える、Ｃ１１に記載の装置。
［Ｃ１８］
前記メッセージが、前記ネットワークにおけるマルチキャストパケットサービスを無効にするようにとの前記１つまたは複数のデバイスへの命令を備える、Ｃ１７に記載の装置。
［Ｃ１９］
前記メッセージが、前記１つまたは複数のデバイスのユニキャスト鍵を変更するようにとの前記１つまたは複数のデバイスへの命令を備える、Ｃ１７に記載の装置。
［Ｃ２０］
前記メッセージ完全性検査値を決定することが、グループ時間鍵を用いて前記マルチキャストパケット中のデータを暗号化することによって第１のメッセージ完全性検査値を生成することと、次いで、前記第１のメッセージ完全性検査値に基づいて複数のワイヤレスデバイスの各々のためのメッセージ完全性検査値を決定することとを備える、Ｃ１１に記載の装置。
［Ｃ２１］
複数のワイヤレスデバイスの各々のためのメッセージ完全性検査値を決定するための手段と、
ワイヤレスローカルエリアネットワーク上で前記複数のデバイスの各々にマルチキャストパケットを送信するための手段と、前記マルチキャストパケットが、前記複数のデバイスの各々の指示と、前記複数のデバイスの各々のための前記メッセージ完全性検査値とを含む、を備えるワイヤレス通信装置。
［Ｃ２２］
前記メッセージ完全性検査値を決定するための前記手段が、前記マルチキャストパケットのフレームヘッダと、前記マルチキャストパケット中のデータと、前記複数のデバイスのうちの１つの前記指示と、前記マルチキャストパケットのカウンタモード暗号ブロック連鎖メッセージ認証コードプロトコルヘッダ中のペアワイズ過渡鍵および擬似ランダム雑音シーケンス番号と、のうちの１つまたは複数に基づいてメッセージ完全性検査値を決定するための手段を備える、Ｃ２１に記載の装置。
［Ｃ２３］
前記複数のワイヤレスデバイスの各々のための前記メッセージ完全性検査値が、８オクテット未満の短縮されたメッセージ完全性検査値を備える、Ｃ２１に記載の装置。
［Ｃ２４］
前記複数のデバイスのうちの少なくとも１つから、前記デバイスによって受信された第２のマルチキャストパケット中の１つまたは複数のメッセージ完全性検査値中のエラーを示す指示を受信するための手段と、
１つまたは複数のデバイスに、前記少なくとも１つのデバイスが１つまたは複数のメッセージ完全性検査値中の前記エラーを発見したことを示すメッセージを送信するための手段とをさらに備える、Ｃ２１に記載の装置。
［Ｃ２５］
前記メッセージが、前記ネットワークにおけるマルチキャストパケットサービスを無効にするか、または前記１つまたは複数のデバイスのユニキャスト鍵を変更するようにとの前記１つまたは複数のデバイスへの命令を備える、Ｃ２４に記載の装置。
［Ｃ２６］
実行されたとき、デバイス中のプロセッサにワイヤレス通信のための方法を実行させる命令を備える非一時的コンピュータ可読媒体であって、前記方法は、
複数のワイヤレスデバイスの各々のためのメッセージ完全性検査値を決定することと、
ワイヤレスローカルエリアネットワーク上で前記複数のデバイスの各々にマルチキャストパケットを送信することと、前記マルチキャストパケットが、前記複数のデバイスの各々の指示と、前記複数のデバイスの各々のための前記メッセージ完全性検査値とを含む、を備える非一時的コンピュータ可読媒体。
［Ｃ２７］
前記メッセージ完全性検査値を決定することが、前記マルチキャストパケットのフレームヘッダと、前記マルチキャストパケット中のデータと、前記複数のデバイスのうちの１つの前記指示と、前記マルチキャストパケットのカウンタモード暗号ブロック連鎖メッセージ認証コードプロトコルヘッダ中のペアワイズ過渡鍵および擬似ランダム雑音シーケンス番号と、のうちの１つまたは複数に基づいてメッセージ完全性検査値を決定することを備える、Ｃ２６に記載のコンピュータ可読媒体。
［Ｃ２８］
前記複数のワイヤレスデバイスの各々のための前記メッセージ完全性検査値が、８オクテット未満の短縮されたメッセージ完全性検査値を備える、Ｃ２６に記載のコンピュータ可読媒体。
［Ｃ２９］
前記複数のデバイスのうちの少なくとも１つから、前記デバイスによって受信された第２のマルチキャストパケット中の１つまたは複数のメッセージ完全性検査値中のエラーを示す指示を受信することと、
１つまたは複数のデバイスに、前記少なくとも１つのデバイスが１つまたは複数のメッセージ完全性検査値中の前記エラーを発見したことを示すメッセージを送信することとをさらに備える、Ｃ２６に記載のコンピュータ可読媒体。
［Ｃ３０］
前記メッセージが、前記ネットワークにおけるマルチキャストパケットサービスを無効にするか、または前記１つまたは複数のデバイスのユニキャスト鍵を変更するようにとの前記１つまたは複数のデバイスへの命令を備える、Ｃ２９に記載のコンピュータ可読媒体。